(57)【要約】【課題】本発明は、部品点数を増やさずに、かつ、固定作業を行うことなく、設定したＬ型ブラケットの取付け角度を保持可能な建築用ファスナーを提供することを課題とする。【解決手段】本発明の建築用ファスナー１は、壁面Ｗに埋設するアンカーボルト１０と、壁面Ｗに隣接する第１の座金２０と、第１の座金２０に隣接する基部３１と下地部材３を支持する支持部３２とを有するＬ型ブラケット３０と、アンカーボルト１０に螺合するナット５０と、を備え、Ｌ型ブラケット３０の基部３１には、アンカーボルト１０が挿通する上下方向に長い第１孔部３３が形成され、第１の座金２０の面と基部３１の面とには、一方に上下方向に湾曲する凸曲面２２が形成され、他方に凸曲面２２に対応する凹曲面３４が形成され、凸曲面２２と凹曲面３４とには、一方に第１係合部２３が形成され、他方に第１係合部２３に係合可能な第１被係合部３５が形成されていること、を特徴とする。【選択図】図２
2010090702.tif 000002
【特許請求の範囲】
【請求項１】
建築物の壁面に一端側が固定されるとともに、他端側には外装材または前記外装材を支持する下地部材が取り付けられて、前記外装材または前記下地部材を前記壁面に支持する建築用ファスナーであって、
前記建築用ファスナーは、
一端側が前記壁面に埋設し、他端側が螺刻されたアンカーボルトと、
前記アンカーボルトに挿通して前記壁面に隣接する第１の座金と、
前記アンカーボルトに挿通して前記第１の座金に隣接する基部と前記基部から前記壁面と反対側に延出して前記外装材または前記下地部材を支持する支持部とを有するＬ型ブラケットと、
前記アンカーボルトの他端側に螺合して、前記アンカーボルトに支持される前記Ｌ型ブラケットと前記第１の座金を前記壁面側に押圧して固定するナットと、を備え、
前記Ｌ型ブラケットの基部には、前記アンカーボルトが挿通する第１孔部が形成され、
前記第１孔部は、上下方向に長い長孔であり、
前記第１の座金の前記基部側の面及び前記基部の前記第１の座金側の面の一方には、上下方向に湾曲する凸曲面が形成され、
前記第１の座金の前記基部側の面及び前記基部の前記第１の座金側の面の他方には、前記凸曲面に対応する凹曲面が形成され、
前記凸曲面及び前記凹曲面の一方には、第１係合部が形成され、
前記凸曲面及び前記凹曲面の他方には、前記Ｌ型ブラケットを任意に傾倒させた状態で、前記第１係合部に係合可能な第１被係合部が形成されていることを特徴とする建築用ファスナー。
【請求項２】
前記第１係合部は、横方向に延びる突条が上下方向に複数形成されてなり、
前記第１被係合部は、前記第１係合部の突条が嵌合可能な溝部が上下方向に複数形成されてなることを特徴とする建築用ファスナー。
【請求項３】
前記アンカーボルトに挿通して、前記Ｌ型ブラケットの前記基部と前記ナットとの間に介在する第２の座金をさらに備え、
前記第２の座金の前記基部側の面及び前記基部の前記第２の座金側の面の一方には、第２係合部が形成されており、
前記第２の座金の前記基部側の面及び前記基部の前記第２の座金側の面の他方には、前記第２係合部に係合可能な第２被係合部が形成されていることを特徴とする請求項１または請求項２に記載の建築用ファスナー。
【請求項４】
前記第２係合部は、横方向に延びる突条が上下方向に複数形成されてなり、
前記第２被係合部は、前記第２係合部の突条が嵌合可能な溝部が上下方向に複数形成されてなることを特徴とする請求項３に記載の建築用ファスナー。
【請求項５】
前記Ｌ型ブラケットの前記支持部には、前記外装材または前記下地部材を固定するためのボルトが挿通する第２孔部が形成されており、
前記第２孔部は、前記壁面に対して垂直な方向に長い長孔であり、
前記支持部の前記外装材側または前記下地部材側の面及び前記前記外装材または前記下地部材の前記支持部側の面の一方には、第３係合部が形成され、
前記支持部の前記外装材側または前記下地部材側の面及び前記前記外装材または前記下地部材の前記支持部側の面の他方には、前記第３係合部が係合可能な第３被係合部が形成されていることを特徴とする請求項１乃至請求項４のいずれか一つに記載の建築用ファスナー。
【請求項６】
前記第３係合部は、横方向に延びる突条が前記壁面に対して垂直な方向に複数形成されてなり、
前記第３被係合部は、前記第３係合部の突条が嵌合可能な溝部が前記壁面に対して垂直な方向に複数形成されてなることを特徴とする請求項５に記載の建築用ファスナー。
【発明の詳細な説明】
【技術分野】
【０００１】
本発明は、外装材または下地部材を、建築物の壁面に支持する建築用ファスナーの構造に関する。
【背景技術】
【０００２】
従来、建築物の壁面に、外装パネルなどの外装材を取り付けるために、若しくは、外装材を支持する下地部材を取り付けるために、建築用ファスナーが用いられている。
【０００３】
この建築用ファスナーは、建築物の壁面に打設されるアンカーボルトと、そのアンカーボルトが挿通可能な孔が形成されたＬ型ブラケットと、アンカーボルトに螺合してＬ型ブラケットを壁面に固定するナットとを少なくとも構成として備えている。
そして、壁面に打設されたアンカーボルトに、Ｌ型ブラケットの孔が形成された一片側（以後、「基部」という。）を挿通させて、ナットによりＬ型ブラケットを締め付けて固定する。
これにより、Ｌ型ブラケットの基部が壁面と平行に固定されるとともに、Ｌ型ブラケットの他片側（以後、「支持部」という。）が壁面に対して垂直方向に延在し、外装材若しくは下地部材を取り付けることが可能となる。
【０００４】
また、下記特許文献１によれば、Ｌ型ブラケットに形成された曲面と座金に形成された曲面とを摺動させて、Ｌ型ブラケットの取り付け角度を自由に設定可能な建築用ファスナーが開示されている。
【０００５】
また、下記特許文献２によれば、調整ボルトの締め付け量を調整して、Ｌ型ブラケットの取り付け角度を自由に設定し、セメントの充填または溶接により、Ｌ型ブラケットを固定する建築用ファスナーが開示されている。
【先行技術文献】
【特許文献】
【０００６】
【特許文献１】登録実用新案第３０２５１９９号公報
【特許文献２】特開平５−７９１４９号公報
【発明の概要】
【発明が解決しようとする課題】
【０００７】
しかしながら、前記特許文献１の建築用ファスナーによれば、Ｌ型ブラケットに形成された曲面と座金に形成された曲面は、当接しているだけであって係止するものがなく、その設定した取り付け角度を保持することが難しいという問題があった。
特に、Ｌ型ブラケットには、支持する構造物の自重や構造物が受ける風力等の負荷が掛かるため、設定後の取り付け角度が変わりやすかった。
【０００８】
一方、引用文献２の建築用ファスナーによれば、セメントの充填または溶接により、Ｌ型ブラケットを固定し、Ｌ型ブラケットの取り付け角度を保持していたが、取り付け作業者には、セメントの充填または溶接によるＬ型ブラケットの固定作業という負担がかかっていた。
特に、建築用ファスナーの取り付け作業は、高所で行なうものであって危険が伴う。よって、セメントの充填または溶接等の固定作業を必要としない、簡単に取り付け可能な建築用ファスナーが望まれる。
【０００９】
また、引用文献２の建築用ファスナーによれば、Ｌ型ブラケットの取付け角度の設定に調整ボルトを必要とし、部品点数が増えるといった問題があった。
【００１０】
そこで、本発明は、前記問題に鑑みて創案された発明であって、部品点数を増やすことなく、かつ、固定作業を行うことなく、自由に設定したＬ型ブラケットの取付け角度を保持可能な建築用ファスナーを提供することを課題とする。
【課題を解決するための手段】
【００１１】
前記課題を解決するために、請求項１に係る建築用ファスナーは、建築物の壁面に一端側が固定されるとともに、他端側には外装材または前記外装材を支持する下地部材が取り付けられて、前記外装材または前記下地部材を前記壁面に支持する建築用ファスナーであって、前記建築用ファスナーは、一端側が前記壁面に埋設し、他端側が螺刻されたアンカーボルトと、前記アンカーボルトに挿通して前記壁面に隣接する第１の座金と、前記アンカーボルトに挿通して前記第１の座金に隣接する基部と前記基部から前記壁面と反対側に延出して前記外装材または前記下地部材を支持する支持部とを有するＬ型ブラケットと、前記アンカーボルトの他端側に螺合して、前記アンカーボルトに支持される前記Ｌ型ブラケットと前記第１の座金を前記壁面側に押圧して固定するナットと、を備え、前記Ｌ型ブラケットの基部には、前記アンカーボルトが挿通する第１孔部が形成され、前記第１孔部は、上下方向に長い長孔であり、前記第１の座金の前記基部側の面及び前記基部の前記第１の座金側の面の一方には、上下方向に湾曲する凸曲面が形成され、前記第１の座金の前記基部側の面及び前記基部の前記第１の座金側の面の他方には、前記凸曲面に対応する凹曲面が形成され、前記凸曲面及び前記凹曲面の一方には、第１係合部が形成され、前記凸曲面及び前記凹曲面の他方には、前記Ｌ型ブラケットを任意に傾倒させた状態で、前記第１係合部に係合可能な第１被係合部が形成されていることを特徴とする。
【００１２】
前記請求項１に記載される建築用ファスナーによれば、Ｌ型ブラケットの基部に形成された孔部が上下方向に長く形成された長孔であるため、Ｌ型ブラケットを建築物の壁面側に向かって傾倒可能にアンカーボルトに軸支させることができる。
また、隣接するＬ型ブラケットの基部と第１の座金とが対向する基部の面と第１の座金の面には、上下方向に湾曲する凸曲面とその凸曲面に対応する凹曲面が形成されている。
よって、Ｌ型ブラケットを建築物の壁面に対して傾倒した状態で、ナットによりＬ型ブラケットを壁面側に押圧し固定しても、凸曲面と凹曲面とが当接するため、Ｌ型ブラケットを建築物の壁面側に向かって傾倒した状態で固定することができる。したがって、Ｌ型ブラケットの取り付け角度を自由に設定することができる。
そして、当接する凸曲面と凹曲面には、第１係合部と第１被係合部が形成されているため、凸曲面若しくは凹曲面を有する座金と基部は係合し、摺動することがない。
したがって、Ｌ型ブラケットの取り付け後、Ｌ型ブラケットに負荷が掛かっても、Ｌ型ブラケットの基部が、第１の座金に係合しているため、Ｌ型ブラケットの取り付け角度を保持することができる。
【００１３】
また、請求項１に記載の建設用ファスナーによれば、セメントの充填及び溶接の固定作業が不要となり、取り付けが容易となる。そして、特別な部品を必要としないため、部品点数の増加を回避することができる。
【００１４】
また、請求項２に記載の建築用ファスナーは、前記第１係合部は、横方向に延びる突条が上下方向に複数形成されてなり、前記第１被係合部は、前記第１係合部の突条が嵌合可能な溝部が上下方向に複数形成されてなることを特徴とする。
【００１５】
請求項２に記載の建築用ファスナーによれば、第１係合部を構成する突条が、第１被係合部の溝部に嵌合するため、第１係合部と第１被係合部は係合する。
また、第１係合部の突条と第１被係合部の溝部は、上下方向に複数形成されているため、Ｌ型ブラケットと第１の座金との当接角度を変更させても、第１係合部と第１被係合部は係合する。
したがって、第１の座金に係合させるＬ型ブラケットの傾倒角度を選択することができ、かつ、第１の座金に係合後は、Ｌ型ブラケットの取り付け角度を保持することができる。
【００１６】
また、請求項３に記載の建築用ファスナーは、前記アンカーボルトに挿通して、前記Ｌ型ブラケットの前記基部と前記ナットとの間に介在する第２の座金をさらに備え、前記第２の座金の前記基部側の面及び前記基部の前記第２の座金側の面の一方には、第２係合部が形成されており、前記第２の座金の前記基部側の面及び前記基部の前記第２の座金側の面の他方には、前記第２係合部に係合可能な第２被係合部が形成されていることを特徴とする。
【００１７】
請求項３に記載の建築用ファスナーによれば、第２の座金は、アンカーボルトに挿通されて軸支されるとともに、アンカーボルトに螺合するナットに押圧されて、Ｌ型ブラケットの基部に当接する。
そして、対向する第２の座金の面とＬ型ブラケットの基部の面とには、第２係合部と第２被係合部とが形成されているため、アンカーボルトに軸支する第２の座金にＬ型ブラケットの基部が係合する。
よって、Ｌ型ブラケットの取り付け角度を設定後、Ｌ型ブラケットに力が加わっても、Ｌ型ブラケットの基部が第１の座金のみならず、第２の座金にも係合しているため、Ｌ型ブラケットの取り付け角度をより強固に保持することができる。
【００１８】
また、請求項４に記載の建築用ファスナーは、前記第２係合部は、横方向に延びる突条が上下方向に複数形成されてなり、前記第２被係合部は、前記第２係合部の突条が嵌合可能な溝部が上下方向に複数形成されてなることを特徴とする。
【００１９】
請求項４に記載の建築用ファスナーによれば、第２係合部を構成する突条が、第２被係合部の溝部に嵌合するため、第１係合部と第１被係合部は係合する。
また、Ｌ型ブラケットの取り付け角度を調整するために、Ｌ型ブラケットが傾倒し、上下方向に移動させても、第２突条部の突条と第２溝部の溝は、上下方向に複数形成されているため、Ｌ型ブラケットの基部を第２の座金に係合可能となり、ブラケットの取り付け角度をより強固に保持することができる。
【００２０】
また、請求項５に記載の建築用ファスナーは、前記Ｌ型ブラケットの前記支持部には、前記外装材または前記下地部材を固定するためのボルトが挿通する第２孔部が形成されており、前記第２孔部は、前記壁面に対して垂直な方向に長い長孔であり、前記支持部の前記外装材側または前記下地部材側の面及び前記前記外装材または前記下地部材の前記支持部側の面の一方には、第３係合部が形成され、前記支持部の前記外装材側または前記下地部材側の面及び前記前記外装材または前記下地部材の前記支持部側の面の他方には、前記第３係合部が係合可能な第３被係合部が形成されていることを特徴とする。
【００２１】
請求項５に記載の建築用ファスナーによれば、Ｌ型ブラケットの支持部に形成された孔部が、壁面に対して垂直な方向に長い長孔であるため、支持部は、外壁材または下地部材を壁面に対して垂直な方向に移動可能に支持できる。
また、ボルトにより固定される外装材または下地部材の面と、Ｌ型ブラケットの支持部の面には、第３係合部と第３被係合部とか形成されて係合するため、支持部に取り付けられる外装材または下地部材が壁面に対して垂直な方向に移動することがない。
よって、建築用ファスナーに取り付けられた外装材が、地震による振動や風力による負荷を受けても、Ｌ型ブラケットと外装材または下地部材に形成された第３係合部と第３被係合部とが係合するため、取り付け位置が変動するおそれがない。
【００２２】
また、請求項６に記載の建築用ファスナーは、前記第３係合部は、横方向に延びる突条が前記壁面に対して垂直な方向に複数形成されてなり、前記第３被係合部は、前記第３係合部の突条が嵌合可能な溝部が前記壁面に対して垂直な方向に複数形成されてなることを特徴とする。
【００２３】
請求項６に記載の建築用ファスナーによれば、第３係合部を構成する突条が、第３被係合部の溝部に嵌合するため、Ｌ型ブラケットと外装材または下地部材とが係合する。
よって、Ｌ型ブラケットに取り付けられる外装材または下地部材は、地震による振動や風力による負荷を受けても、壁面の垂直方向に対して移動することなく、取り付け位置が変動するおそれがない。
【発明の効果】
【００２４】
以上、本発明によれば、部品点数を増やすことなく、かつ、固定作業を行うことなく、設定したＬ型ブラケットの取付け角度を保持可能な建築用ファスナーを提供することができる。
【図面の簡単な説明】
【００２５】
【図１】本発明の実施形態に係る建築用ファスナーの側面図である。
【図２】図１に示す建築用ファスナーを拡大した拡大図である。
【図３】本発明の実施形態に係る建築用ファスナーを分解した分解斜視図である。
【図４】本発明の実施形態に係る建築用ファスナーを分解した分解斜視図である。
【図５】傾倒させたＬ型ブラケットを、アンカーボルトに軸支する第１の座金に係合させた状態を示す側面である。
【図６】本発明の変形例を示す図である。
【発明を実施するための形態】
【００２６】
本発明の実施形態による建築用ファスナーについて、図面を参照しながら説明をする。なお、実施形態の説明において、同一の要素には同一の符号を付している。
【００２７】
建築用ファスナー１は、図１に示すように、外装パネル２を建築物Ｂの壁面Ｗに取り付けるために利用されるものであり、建築物Ｂの壁面Ｗに固定されて、外装パネル２を取り付けるランナー３を支持している。また、建築用ファスナー１は、ランナー３を支持するため、ランナー３の設置数及び長さに合わせて、建築物Ｂの壁面Ｗに対し、複数固定されている。
建築用ファスナー１は、図２に示すように、建築物Ｂの壁面Ｗに打設されたアンカーボルト１０と、壁面Ｗ側から外装パネル２側に向かって順にアンカーボルト１０に軸支される第１の座金２０とＬ型ブラケット３０と第２の座金４０と、アンカーボルト１０に螺合するナット５０と、を備えている。
なお、実施形態の説明において、鉛直線方向を上下方向とし、鉛直線方向に対して垂直であって建築物Ｂの壁面Ｗと平行な方向を横方向とし、壁面Ｗに対して垂直な方向を垂直方向と置き換えて説明する。
【００２８】
アンカーボルト１０は、図２に示すように、建築物Ｂの壁面Ｗに打設されて、第１の座金２０とＬ型ブラケット３０と第２の座金４０とを支持する円柱状の部材である。
アンカーボルト１０は、図３及び図４に示すように、一端側に軸方向に切れ目が形成され、かつ、その切れ目に進入可能なコーン状のコーン部が設けられており、切れ目にコーン部が進入して、一端側の径が拡大する構造となっている。
これによれば、一端側を壁面Ｗに向けてアンカーボルト１０を打設した場合、コーン部が一端側の切れ目にコーン部が進入して、アンカーボルト１０の一端側の径が拡大し、壁面Ｗにアンカーボルト１０をより強固に固定することが可能となる。
また、アンカーボルト１０は、他端側にネジ溝が形成されて、ナット５０が螺合可能になっている。
なお、実施形態のアンカーボルト１０は、一端側の径が拡大する構造となっているが、本発明はこれに限定されるものでなく、Ｌ型ブラケット３０等を支持可能であればよい。
【００２９】
第１の座金２０は、図２に示すように、Ｌ型ブラケット３０に隣接するようにアンカーボルト１０に軸支されて、Ｌ型ブラケット３０の取り付け角度を保持するためのものである。
第１の座金２０は、図３及び図４に示すように、略板状であって、中央部にアンカーボルト１０が挿通可能な孔２１が形成されている。これにより、孔２１にアンカーボルト１０を挿通させて、第１の座金２０をアンカーボルト１０に支持させることができる。
【００３０】
第１の座金２０は、図４に示すように、アンカーボルト１０に軸支された場合に壁面Ｗに対向する面側が平面状に形成されている。これにより、図２に示すように、第１の座金２０が壁面Ｗ側に押圧された場合に壁面Ｗに当接し、第１の座金２０は安定してアンカーボルト１０に軸支されることとなる。
【００３１】
第１の座金２０は、図３に示すように、アンカーボルト１０に軸支された場合にＬ型ブラケット３０に対向する面側に、Ｌ型ブラケット３０に向かって中央部が突出するように湾曲する凸曲面２２と、その凸曲面２２上に形成された第１係合部２３とを備えている。
凸曲面２２は、円弧状に形成された面であって、後記するＬ型ブラケット３０の基部３１の凹曲面３４に対応する面である。
また、第１係合部２３は、側面視三角状であって、横方向に延出する突条が、凸曲面２２の円弧の周方向に連続して等間隔で複数形成されてなるものである。
【００３２】
Ｌ型ブラケット３０は、図２に示すように、ランナー３支持するためのものであり、アンカーボルト１０に軸支される基部３１と、その基部３１から垂直方向に延出する支持部３２とを備えている。また、Ｌ型ブラケット３０は、基部３１と支持部３２とが側面視でＬ字状となるように連続して一体的に形成されている。
【００３３】
基部３１は、図３及び図４に示すように、略板状に形成されてなり、中央部に、アンカーボルト１０が挿通可能な第１孔部３３が形成されている。また、第１孔部３３は、上下方向に長く形成された長孔である。
【００３４】
基部３１は、図４に示すように、アンカーボルト１０に軸支された場合、第１の座金２０に対向する面側に、中央部が凹むように湾曲する凹曲面３４と、その凹曲面３４に形成された第１被係合部３５とが形成されている。
凹曲面３４は、円弧状に形成された面であって、前記した凸曲面２２と同径の円弧である。
また、第１被係合部３５は、図４に示すように、第１の座金２０の凸曲面２２上に形成された第１係合部２３を構成する突条が嵌合可能な大きさに形成された溝部が、凹曲面３４の円弧の周方向に連続して等間隔で複数形成されている。
【００３５】
また、基部３１は、図３に示すように、アンカーボルト１０に軸支された場合、第２の座金４０に対向する面側に、第２係合部３６が形成されている。第２係合部３６は、側面視三角状であって横方向に延出する突条が、上下方向に連続して等間隔で複数形成されてなる。
【００３６】
一方、支持部３２は、図３及び図４に示すように、基部３１の上端部から建築物Ｂの壁面Ｗと反対側に延出している。
また、支持部３２は、中央部にランナー３を固定するボルト８が挿通する第２孔部３７と、ランナー３が当接する上部面側に第３係合部３８とが形成されている。
第２孔部３７は、図３及び図４に示すように、垂直方向に長く形成された長孔である。また、この第３係合部３８は、図３及び図４に示すように、側面視三角状であって、横方向に延出する突条が、垂直方向に連続して等間隔で複数形成されてなる。
【００３７】
第２の座金４０は、図２に示すように、Ｌ型ブラケット３０に隣接するようにアンカーボルト１０に軸支されて、Ｌ型ブラケット３０の取り付け角度を保持するためのものである。
第２の座金４０は、中央部に孔４１と、アンカーボルト１０に軸支された場合に、Ｌ型ブラケット３０の基部３１側に対向する面側に、第２被係合部４２とが形成されている。
孔４１は、アンカーボルト１０が挿通可能な大きさに形成された孔である。また、第２被係合部４２は、Ｌ型ブラケット３０の基部３１に形成された第２係合部３６が構成する突条が嵌合可能な溝部が、上下方向に連続して等間隔で複数形成されてなるものである。
【００３８】
ナット５０は、アンカーボルト１０の他端側に螺合する部材である。また、ナット５０を、図２に示すように、第２の座金４０を壁面Ｗ側に押圧するように螺合させることにより、第１の座金２０とＬ型ブラケット３０と第２のナット５０とをアンカーボルト１０に固定することが可能となる。なお、ナット５０は、本発明において特に限定されるものでなく、ゆるみ止め機能を有するナットであってもよい。ゆるみ止め機能を有するナットとしては、例えば、二つのナットであって、二つのナットの当接面に凸部と凹部が形成され、凹部に凸部に嵌合させるようにアンカーボルト１０に螺合させることにより、二つのナットが偏心して、締め付けが強固になるものなどがある。
【００３９】
つぎに、外装パネル２とランナー３について、図１及び図２を参照しながら説明する。
外装パネル２は、図１に示すように、平面の板部材であり、ランナー３に支持されて建築物Ｂの壁面Ｗを被覆する。また、外装パネル２は、上端側と下端側のそれぞれがランナー３の支持部５ａの溝部に支持されている。なお、実施形態において、ランナー３に支持される部材として、外装パネル２をあげているが、本発明はこれに限定されず、太陽光発電パネルなどであってもよい。
【００４０】
ランナー３は、図２に示すように、ボルト８とナット９によりＬ型ブラケット３０に取り付けられて固定される固定部４と、矢印Ａに示す方向に回転自在に固定部４に設けられている回動部５とを備えている。
【００４１】
固定部４は、図２に示すように、固定されるＬ型ブラケット３０の支持部３２に対向する下部側に、Ｌ型ブラケット３０の支持部３２に形成された第３係合部３８が係合する第３被係合部６と、ランナー３をＬ型ブラケット３０に固定するボルト８の頭部が収納される収納部７とを有している。
第３被係合部６は、図２に示すように、第３係合部３８を構成する突条が嵌合可能な大きさに形成された溝部であって、垂直方向に連続して等間隔で複数形成されている。
また、収納部７は、六角形に形成されたボルト８の頭部が嵌合する大きさに形成された溝である。これにより、ボルト８に支持部３２の下部側からナット９を締め付けたとしても、ボルト８は回転しないため、固定部４をＬ型ブラケット３０に固定することができる。
【００４２】
また、回動部５は、上部側と下部側に溝が形成されており、外装パネル２の上端側と下端側を嵌合して支持する側面視で略Ｈ字状の支持部５ａを備えている。
そして、回動部５を下方向に回動させることにより、支持部５ａの下部側の溝部に外装パネル２の上端を嵌合させることができる。そして、回動部５を下方向に回動後に、支持部５ａの上部側の溝部に外装パネル２の下端を嵌合させて、外装パネル２を支持している。
なお、本実施形態の建築用ファスナー１には、図１に示すように、ランナー３が取り付けられているが、本発明はこれに限らず、ランナー３を介さずに、外装パネル２が取り付けられても良い。
【００４３】
以上、実施形態における建築用ファスナー１によれば、Ｌ型ブラケット３０の基部３１に形成された第１孔部３３が上下方向に長い長孔であるため、図５に示すように、Ｌ型ブラケット３０を矢印Ｂ方向に傾倒させてアンカーボルト１０に軸支させることができる。
また、Ｌ型ブラケット３０の凹曲面３４と第１の座金２０の凸曲面２２とは、同径の円弧であるため、Ｌ型ブラケット３０が矢印Ｂ方向に傾倒している場合であっても、基部３１の凹曲面３４と第１の座金２０の凸曲面２２とを当接することが可能となる。
そして、Ｌ型ブラケット３０の凹曲面３４に、第１の座金２０の凸曲面２２の第１係合部２３に係合する第１被係合部３５が形成されているため、凹曲面３４と凸曲面２２とを当接させた場合、第１係合部２３と第１被係合部３５とが係合する。
よって、Ｌ型ブラケット３０の傾倒する角度を維持した状態で、アンカーボルト１０に軸支させることができ、Ｌ型ブラケット３０の取り付け角度を保持することが可能となる。
【００４４】
また、実施形態における建築用ファスナー１によれば、第２の座金４０とＬ型ブラケット３０とが当接する第２の座金４０の面とＬ型ブラケット３０の面には、第２被係合部４２と第２係合部３６とが形成されている。
よって、ナット５０により第２の座金４０を壁面Ｗ側に押圧した場合、第２被係合部４２と第２係合部３６とが係合し、Ｌ型ブラケット３０の取り付け角度をより強固に保持することが可能となる。
【００４５】
また、実施形態の建築用ファスナー１によれば、図５に示すように、ランナー３を固定するためのボルト８が挿通する第２孔部３７が、垂直方向に長い長孔であるため、ランナー３を、矢印Ｃ方向に移動させて、Ｌ型ブラケット３０に固定することが可能となる。
また、Ｌ型ブラケット３０の支持部３２に形成された第３係合部３８と、ランナー３の固定部４に形成された第３被係合部６とが係合するため、ランナー３が垂直方向に移動するおそれがない。
【００４６】
以上、実施形態の建築用ファスナー１について説明したが、本発明は、実施形態の建築用ファスナー１に限定されるものでない。
実施形態の建築用ファスナー１において、図２に示すように、Ｌ型ブラケット３０の基部３１に凹曲面３４が形成されており、第１の座金２０に凸曲面２２ａが形成されていたが、これに限定されない。たとえば、図６（ａ）に示すように、Ｌ型ブラケット３０の基部３１側に凸曲面２２ａが形成され、第１の座金２０側に凹曲面３４ａが形成されてもよい。Ｌ型ブラケット３０が矢印Ｄ方向に傾倒しても、Ｌ型ブラケット３０の支持部３２を水平にすることができ、また、Ｌ型ブラケット３０の基部３１に形成された凸曲面２２ａと、第１の座金２０の凹曲面３４ａとが当接し、係合可能だからである。
【００４７】
また、実施形態の建築用ファスナー１において、第１係合部２３と第２係合部３６と第３係合部３８は、複数の突条が連続して等間隔で形成されていたが、これに限られない。たとえば、図６（ｂ）に示すように、第１係合部２３ａが一つの突条から構成されてもよい。これによっても、第１係合部２３ａの突条が第１被係合部３５の溝部に嵌合して、Ｌ型ブラケット３０が第１の座金２０に係合することが可能となるからである。
【００４８】
また、実施形態の建築用ファスナー１を構成するアンカーボルト１０と第１の座金２０とＬ型ブラケット３０と第２の座金４０とナット５０を構成する材料については、特に限定されない。ただし、建築用ファスナー１は、室外に設置されるため、雨水により錆び難いステンレスにより形成されることが望ましい。
【符号の説明】
【００４９】
１      建築用ファスナー
２      外装パネル
３      ランナー
４      固定部
５      回動部
５ａ    支持部
６      第３被係合部
７      収納部
８      ボルト
９      ナット
１０    アンカーボルト
２０    第１の座金
２１    孔
２２、２２ａ  凸曲面
２３、２３ａ  第１係合部
３０    Ｌ型ブラケット
３１    基部
３２    支持部
３３    第１孔部
３４、３４ａ  凹曲面
３５    第１被係合部
３６    第２係合部
３７    第２孔部
３８    第３係合部
４０    第２の座金
４１    孔
４２    第２被係合部
５０    ナット
Ｂ      建築物
Ｗ      壁面
【図１】
2010090702.tif 000003
【図２】
2010090702.tif 000004
【図３】
2010090702.tif 000005
【図４】
2010090702.tif 000006
【図５】
2010090702.tif 000007
【図６】
2010090702.tif 000008